(57)【要約】【課題】信号ケーブルの耐久性を向上させ、断線が発生するのを防止することができるようにする。【解決手段】電子回路を備えた第１の構造体と、第１の構造体を移動自在に支持する第２の構造体と、電子回路に接続された信号ケーブル２５と、信号ケーブル２５を保持する第１の端部、第１の構造体に当接させられる第２の端部、及び第２の構造体に対して揺動自在に係合させられる支持軸部を備えた第３の端部から成るクランプ部材とを有する。そして、クランプ部材は、第１の構造体の移動に伴って支持軸部を揺動中心にして揺動させられる。この場合、第１の構造体が上下方向に移動させられても、単芯ケーブル部分の配線形態を維持することができ、単芯ケーブル部分に機械的な応力が加わらない。【選択図】図１
2006116764.tif 000002
【特許請求の範囲】
【請求項１】
（ａ）電子回路を備えた第１の構造体と、
（ｂ）該第１の構造体を移動自在に支持する第２の構造体と、
（ｃ）前記電子回路に接続された信号ケーブルと、
（ｄ）該信号ケーブルを保持する第１の端部、前記第１の構造体に当接させられる第２の端部、及び前記第２の構造体に対して揺動自在に係合させられる支持軸部を備えた第３の端部から成るクランプ部材とを有するとともに、
（ｅ）該クランプ部材は、第１の構造体の移動に伴って前記支持軸部を揺動中心にして揺動させられることを特徴とする電子装置。
【請求項２】
（ａ）前記第１の端部は、前記信号ケーブルを保持する保持部を備え、
（ｂ）前記クランプ部材が揺動したときの、前記保持部の中心が描く軌跡の接線方向に設定された信号ケーブルの軸線は、第２の構造体の上端の部分に保持された信号ケーブルの軸線に対して所定の角度だけ傾けられる請求項１に記載の電子装置。
【請求項３】
前記クランプ部材が揺動したときの、前記保持部の中心が描く軌跡の半径と、第２の端部が第１の構造体と当接する点が描く軌跡の半径とが同一又は近似値にされる請求項２に記載の電子装置。
【請求項４】
前記保持部の内側面に突部形状が形成される請求項２に記載の電子装置。
【請求項５】
前記軸支持部に、前記第１の構造体を所定の付勢力で押圧する付勢部材が配設される請求項１に記載の電子装置。
【請求項６】
（ａ）前記クランプ部材は、導電性材料によって形成され、アース端子に導通させられ、（ｂ）前記第１の端部は前記信号ケーブルのシールド網線を保持する請求項１〜５のいずれか１項に記載の電子装置。
【発明の詳細な説明】
【技術分野】
【０００１】
本発明は、電子装置に関するものである。
【背景技術】
【０００２】
従来、例えば、プリンタ、複写機、ファクシミリ装置、複合機等の電子装置においては、フラットケーブルによって他の電子装置、上位装置、ネットワーク等と接続されるようになっているが、前記フラットケーブルに外力が加わると、フラットケーブルに応力が集中して破損することがある。そこで、フラットケーブルに補強板を配設し、応力が集中するのを防止したり、応力を分散させ、フラットケーブルの耐久性及び信頼性を向上させるようにしている。
【０００３】
前記補強板は、可動部が往復移動するのに伴って、フラットケーブルの１箇所において発生する両振り屈曲状態の変形を、フラットケーブルの２箇所において発生する片振り屈曲状態の変形に近づけるように配設される。なお、前記補強板は、ある程度の弾性を有し、フラットケーブルより小さな可撓性を有するものとする（例えば、特許文献１参照。）。
【特許文献１】特開平６−５５８０４号公報
【発明の開示】
【発明が解決しようとする課題】
【０００４】
しかしながら、前記従来の電子装置においては、処理が高速化し、高密度化するのに伴い、データの送信も高速化し、高密度化し、フラットケーブルでは確実にデータを送信することが困難になってしまう。そこで、複数の単芯ケーブルを縒り合わせ、シールド網線及び被覆チューブを各単芯ケーブルに被覆するようにした信号ケーブルを使用するようにしている。
【０００５】
さらに、電子装置が小型化し、電子装置の内部の部品の実装密度が高くなるのに伴って、前記信号ケーブルに接続される電気回路を備えた構造体の実装スペースが狭くなってしまう。そこで、小型のコネクタを使用する必要が生じるが、小型のコネクタを使用する場合、前記信号ケーブルのシールド網線及び被覆チューブの一部を剥がし、複数の単芯ケーブルをばらしてコネクタに配線しなければならない。したがって、信号ケーブルに、シールド網線及び被覆チューブが被覆された状態の屈曲剛性の大きい部分、すなわち、被覆部分、及びシールド網線及び被覆チューブが剥がされ、屈曲剛性の小さい部分、すなわち、単芯ケーブル部分が形成される。その結果、可動部が移動すると、単芯ケーブル部分に、機械的な応力が加わり、信号ケーブルの耐久性が低下し、断線が発生してしまう。
【０００６】
本発明は、前記従来の電子装置の問題点を解決して、信号ケーブルの耐久性を向上させ、断線が発生するのを防止することができる電子装置を提供することを目的とする。
【課題を解決するための手段】
【０００７】
そのために、本発明の電子装置においては、電子回路を備えた第１の構造体と、該第１の構造体を移動自在に支持する第２の構造体と、前記電子回路に接続された信号ケーブルと、該信号ケーブルを保持する第１の端部、前記第１の構造体に当接させられる第２の端部、及び前記第２の構造体に対して揺動自在に係合させられる支持軸部を備えた第３の端部から成るクランプ部材とを有する。
【０００８】
そして、該クランプ部材は、第１の構造体の移動に伴って前記支持軸部を揺動中心にして揺動させられる。
【発明の効果】
【０００９】
本発明によれば、電子装置においては、電子回路を備えた第１の構造体と、該第１の構造体を移動自在に支持する第２の構造体と、前記電子回路に接続された信号ケーブルと、該信号ケーブルを保持する第１の端部、前記第１の構造体に当接させられる第２の端部、及び前記第２の構造体に対して揺動自在に係合させられる支持軸部を備えた第３の端部から成るクランプ部材とを有する。
【００１０】
そして、該クランプ部材は、第１の構造体の移動に伴って前記支持軸部を揺動中心にして揺動させられる。
【００１１】
この場合、クランプ部材は、第１の構造体の移動に伴って前記支持軸部を揺動中心にして揺動させられるので、第１の構造体が上下方向に移動させられても、単芯ケーブル部分の配線形態を維持することができる。
【００１２】
したがって、第１の構造体が移動しても、単芯ケーブル部分に機械的な応力が加わらないので、信号ケーブルの耐久性を向上させることができ、断線が発生するのを防止することができる。
【発明を実施するための最良の形態】
【００１３】
以下、本発明の実施の形態について図面を参照しながら詳細に説明する。この場合、電子装置としてのカラーのプリンタについて説明する。
【００１４】
図１は本発明の第１の実施の形態におけるプリンタを示す図である。
【００１５】
図に示されるように、装置本体の下部に図示されない記録媒体を収容する媒体収容部としての給紙カセット１１が配設され、該給紙カセット１１に、記録媒体を１枚ずつ分離して給紙する給紙機構が配設される。該給紙機構は、給紙ローラ１２ａ、１２ｂ及び分離ローラ１３を備え、給紙機構によって給紙された記録媒体は、上部に配設された搬送ローラ部１４に送られる。該搬送ローラ部１４から送り出された記録媒体は、搬送ローラ部１５に送られ、その後、搬送部材としての搬送ベルト１７が走行させられるのに伴って、搬送ベルト１７によって搬送され、イエロー、マゼンタ、シアン及びブラックの各色の画像形成を行う複数の画像形成部１６Ｙ、１６Ｍ、１６Ｃ、１６Ｂｋと転写装置としての転写ローラ５１Ｙ、５１Ｍ、５１Ｃ、５１Ｂｋとの間を通過し、該転写ローラ５１Ｙ、５１Ｍ、５１Ｃ、５１Ｂｋは、各画像形成部１６Ｙ、１６Ｍ、１６Ｃ、１６Ｂｋにおいて像担持体としての感光体ドラム５２Ｙ、５２Ｍ、５２Ｃ、５２Ｂｋによって形成された各色の可視像としてのトナー像を、記録媒体に転写し、カラーのトナー像を形成する。
【００１６】
続いて、記録媒体は、定着器１８に送られ、該定着器１８においてカラーのトナー像が記録媒体に定着させられ、カラーの画像が形成される。そして、定着器１８から排出された記録媒体は、搬送ローラ１９によって搬送された後、排出搬送ローラ２０によって装置本体外に排出される。
【００１７】
前記各画像形成部１６Ｙ、１６Ｍ、１６Ｃ、１６Ｂｋにおいて、前記感光体ドラム５２Ｙ、５２Ｍ、５２Ｃ、５２Ｂｋに静電潜像を形成するために露光装置としての各ＬＥＤユニット２１Ｙ、２１Ｍ、２１Ｃ、２１Ｂｋが、各画像形成部１６Ｙ、１６Ｍ、１６Ｃ、１６Ｂｋと対向させて配設され、各ホルダ２２Ｙ、２２Ｍ、２２Ｃ、２２Ｂｋによって移動自在に支持される。前記各ＬＥＤユニット２１Ｙ、２１Ｍ、２１Ｃ、２１Ｂｋは、図示されない付勢部材によって下方に向けて付勢され、各画像形成部１６Ｙ、１６Ｍ、１６Ｃ、１６Ｂｋに当接させられ、位置決めされる。各ホルダ２２Ｙ、２２Ｍ、２２Ｃ、２２Ｂｋは開閉自在な上部フレーム２３によって保持される。また、各ＬＥＤユニット２１Ｙ、２１Ｍ、２１Ｃ、２１Ｂｋは、装置本体内の制御部２４と上部フレーム２３を介して各信号ケーブル２５によって接続される。
【００１８】
なお、本実施の形態においては、単色の印刷と複数色の印刷とを切り換えることができるようになっていて、切換え時に、画像形成部１６Ｙ、１６Ｍ、１６Ｃ、１６Ｂｋのうちの所定の画像形成部が、搬送ベルト１７に対して接離させられる。これに伴って、前記画像形成部に当接させられ、位置決めされたＬＥＤユニットは、接離動作に連動して、ホルダによって支持された状態で移動させられる。
【００１９】
図２は本発明の第１の実施の形態における信号ケーブルの詳細図である。
【００２０】
図に示されるように、信号ケーブル２５は、被覆チューブ２５ｄ、及び電気的シールドのためのシールド網線２５ｃによって被覆された屈曲剛性の大きい被覆部分２５ａ、並びに屈曲剛性の小さい複数の単芯ケーブル部分２５ｂから成る。
【００２１】
次に、所定の画像形成部におけるＬＥＤユニットの動作について説明する。
【００２２】
図３は本発明の第１の実施の形態におけるＬＥＤユニットの動作を示す第１の図、図４は本発明の第１の実施の形態におけるＬＥＤユニットの動作を示す第２の図、図５は本発明の第１の実施の形態におけるケーブルクランプの動作を示す図、図６は本発明の第１の実施の形態におけるケーブルクランプの平面図、図７は図６のＡ−Ａ断面図である。
【００２３】
図において、２１は第１の構造体としてのＬＥＤユニット、２２はＬＥＤユニット２１を上下方向に移動自在に支持する第２の構造体としてのホルダ、２３は上部フレーム、２５はＬＥＤユニット２１の図示されない電子回路に接続された信号ケーブルであり、該信号ケーブル２５はクランプ部材としてのケーブルクランプ２６によって保持される。前記ＬＥＤユニット２１は信号ケーブル２５に対して可動部として機能する。
【００２４】
前記ＬＥＤユニット２１は、信号ケーブル２５を介して制御部２４（図１）と接続される。また、前記ケーブルクランプ２６は、ホルダ２２に対して揺動自在に配設され、信号ケーブル２５を保持する第１の端部２６ａ、該第１の端部２６ａより下方に、第１の端部２６ａと平行に形成された第２の端部２６ｂ、前記第１、第２の端部２６ａ、２６ｂを連結する第１の連結部２６ｆ、「コ」字状の形状を有し、ケーブルクランプ２６をホルダ２２に対して揺動自在に支持する第３の端部２６ｃ、該第３の端部２６ｃに配設された一対の支持軸部２６ｇ、及び前記第１の連結部２６ｆと第３の端部２６ｃとを連結する第２の連結部２６ｈを備える。前記第１の端部２６ａは、信号ケーブル２５の被覆部分２５ａを保持するために、２本のアーム２６ｉ、２６ｊを備え、該各アーム２６ｉ、２６ｊの所定の箇所、本実施の形態においては、付け根部分が弧状に形成され、付け根部分に前記被覆部分２５ａを保持するための円形の形状を有する保持部２６ｍが形成される。
【００２５】
そして、図６及び７に示されるように、保持部２６ｍの内側面に突部形状２７が形成される。該突部形状２７は、信号ケーブル２５の被覆チューブ２５ｄだけに食い込むように設定され、内側の単芯ケーブルを破損させないようになっている。
【００２６】
また、第２の端部２６ｂはＬＥＤユニット２１と当接させられ、支持軸部２６ｇは、ホルダ２２の長さ方向におけるほぼ中央部分に形成された保持部２２ｆに対して揺動自在に係合させられる。したがって、ＬＥＤユニット２１の移動に伴ってケーブルクランプ２６が揺動させられる。すなわち、ＬＥＤユニット２１が矢印Ａ方向に移動するのに伴って、第１、第２の端部２６ａ、２６ｂが矢印Ｂ、Ｃ方向に移動し、ＬＥＤユニット２１が矢印Ｄ方向に移動するのに伴って、第１、第２の端部２６ａ、２６ｂが矢印Ｅ、Ｆ方向に移動する。
【００２７】
図５に示されるように、前記ケーブルクランプ２６において、支持軸部２６ｇを揺動中心として第１の端部２６ａを回転させたときの、前記保持部２６ｍの中心が描く軌跡ＣＲ１の接線方向に信号ケーブル２５の軸線Ｌ１が設定され、該軸線Ｌ１は、ホルダ２２の上端の部分２２ａに保持された信号ケーブル２５の軸線Ｌ２に対して所定の角度θだけ傾けられる。これにより、所定の画像形成部が、搬送ベルト１７に対して接離させられるのに伴って、信号ケーブル２５が屈曲する方向が常に一定にされる。
【００２８】
また、前記軌跡の半径をＲ１とし、第２の端部２６ｂがＬＥＤユニット２１と当接する点が描く軌跡ＣＲ２の半径をＲ２としたとき、半径Ｒ１、Ｒ２を同一又は近似値にすると、前記接離動作に伴って、前記保持部２６ｍの中心が垂直方向に移動する距離Ｌｖ１と、第２の端部２６ｂの前記点が垂直方向に移動する距離Ｌｖ２とが同一又は近似値になる。また、このとき、前記保持部２６ｍの中心が水平方向に移動する距離Ｌｈ１と、第２の端部２６ｂの前記点が水平方向に移動する距離Ｌｈ２とが同一又は近似値になる。
【００２９】
次に、前記構成のケーブルクランプ２６の動作について説明する。
【００３０】
本実施の形態におけるプリンタにおいては、単色の印刷と複数色の印刷とを切り換えることができるようになっていて、切換え時に、画像形成部１６Ｙ、１６Ｍ、１６Ｃ、１６Ｂｋのうちの所定の画像形成部が、搬送ベルト１７に対して接離させられる。これに伴って、前記画像形成部に当接させられ、位置決めされたＬＥＤユニット２１は、接離動作に連動して、ホルダ２２によって支持された状態で矢印Ａ、Ｄ方向に移動させられる。
【００３１】
そして、図３に示されるように、ＬＥＤユニット２１が下方（矢印Ａ方向）に移動するとき、ケーブルクランプ２６は、屈曲し撓んだ信号ケーブル２５の弾性力で支持軸部２６ｇを中心に時計回りに回動させられる。
【００３２】
また、図４に示されるように、ＬＥＤユニット２１が上方（矢印Ｄ方向）に移動するとき、ケーブルクランプ２６は、第２の端部２６ｂをＬＥＤユニット２１に当接させたまま、支持軸部２６ｇを中心に反時計回りに回動させられる。
【００３３】
このように、本実施の形態においては、前記軸線Ｌ１が、軌跡ＣＲ１の接線方向に設定され、かつ、軸線Ｌ２に対して角度θだけ傾けられるので、信号ケーブル２５は常に一定方向に屈曲する。そして、半径Ｒ１、Ｒ２が同一又は近似値にされ、距離Ｌｖ１、Ｌｖ２が同一又は近似値になり、距離Ｌｈ１、距離Ｌｈ２とが同一又は近似値になるので、ＬＥＤユニット２１が上下方向に移動させられても、前記単芯ケーブル部分２５ｂの配線形態を維持することができる。
【００３４】
したがって、ＬＥＤユニット２１が移動しても、単芯ケーブル部分２５ｂに、機械的な応力が加わらないので、信号ケーブル２５の耐久性を向上させることができ、断線が発生するのを防止することができる。
【００３５】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００３６】
図８は本発明の第２の実施の形態におけるプリンタの要部を示す分解斜視図、図９は本発明の第２の実施の形態におけるＬＥＤユニットの動作を示す第１の図、図１０は本発明の第２の実施の形態におけるＬＥＤユニットの動作を示す第２の図である。
【００３７】
図に示されるように、第２の構造体としてのホルダ２２の両端部に長穴から成る係合穴２２ｃが、第１の構造体としてのＬＥＤユニット２１の両端部に係合突起２１ａが形成され、各係合穴２２ｃと係合突起２１ａとを係合させることによって、ＬＥＤユニット２１をホルダ２２に対して移動自在に組み付けることができる。そして、前記ＬＥＤユニット２１は付勢部材としての図示されないコイルスプリングによって、図における下方向に付勢される。また、前記ホルダ２２の一端の近傍に、ホルダ２２とケーブルクランプ２６とを係合させるための一対の係合穴２２ｂが形成され、該係合穴２２ｂとクランプ部材としてのケーブルクランプ２６の支持軸部２６ｇとを係合させることによって、ケーブルクランプ２６をホルダ２２に対して揺動自在に取り付けることができる。
【００３８】
そして、一対の支持軸部２６ｇのうちの一方に、付勢部材としてのコイルスプリング２８が取り付けられ、該コイルスプリング２８は、第２の端部２６ｃを介して、ＬＥＤユニット２１を所定の付勢力で下方に向けて付勢する。そのために、コイルスプリング２８は、中央部にコイル部分２８ａを備え、該コイル部分２８ａの両端は所定の角度で径方向外方にアーム２８ｂ、２８ｃとして延在させられる。前記コイル部分２８ａは支持軸部２６ｇのうちの一方に外嵌させられ、アーム２８ｂは、第３の端部２６ｃに形成されたストッパ２６ｄに係止させられ、アーム２８ｃはホルダ２２の底部２２ｄに係止させられる。
【００３９】
したがって、図９に示されるように、ＬＥＤユニット２１が下方（矢印Ａ方向）に移動するとき、ケーブルクランプ２６は、屈曲し撓んだ信号ケーブル２５の弾性力、及びコイルスプリング２８による付勢力によって第２の端部２６ｂがＬＥＤユニット２１に押し付けられた状態で、支持軸部２６ｇを中心に時計回りに回動させられる。
【００４０】
また、図１０に示されるように、ＬＥＤユニット２１が上方（矢印Ｄ方向）に移動するとき、ケーブルクランプ２６は、第２の端部２６ｂをＬＥＤユニット２１に当接させたまま、支持軸部２６ｇを中心に反時計回りに回動させられる。
【００４１】
このように、本実施の形態においては、コイルスプリング２８による付勢力によって、第２の端部２６ｂがＬＥＤユニット２１に押し付けられ、ケーブルクランプ２６は、常時ＬＥＤユニット２１から離れることなく追従する。したがって、ＬＥＤユニット２１が上下方向に移動させられても、前記単芯ケーブル部分２５ｂの配線形態を維持することができる。
【００４２】
その結果、ＬＥＤユニット２１が移動しても、単芯ケーブル部分２５ｂに、機械的な応力が加わらないので、信号ケーブル２５の耐久性を一層向上させることができ、断線が発生するのを防止することができる。
【００４３】
次に、本発明の第３の実施の形態について説明する。なお、第１、第２の実施の形態と同じ構造を有するものについては、同じ符号を付与することによってその説明を省略し、同じ構造を有することによる発明の効果については同実施の形態の効果を援用する。
【００４４】
図１１は本発明の第３の実施の形態におけるプリンタの要部を示す図、図１２は本発明の第３の実施の形態における信号ケーブルの詳細図である。
【００４５】
図１２に示されるように、信号ケーブル２５は、被覆チューブ２５ｄ、及び電気的シールドのためのシールド網線２５ｃによって被覆された屈曲剛性の大きい被覆部分２５ａ、並びに屈曲剛性の小さい複数の単芯ケーブル部分２５ｂから成り、前記シールド網線２５ｃは、先端で反転させられ、被覆チューブ２５ｄ上に重ねられる。
【００４６】
また、第２の構造体としてのホルダ２２及び上部フレーム２３が導電性材料によって形成され、ホルダ２２と上部フレーム２３とは導電性材料によって形成されたコンタクト部材２９によって導通させられる。また、クランプ部材としてのケーブルクランプ２６は、導電性材料によって形成され、第１の端部２６ａにおいて前記シールド網線２５ｃを保持し、第２の端部２６ｂにおいて第１の構造体としてのＬＥＤユニット２１のフレームと導通させられる。したがって、ＬＥＤユニット２１のフレームは、前記ケーブルクランプ２６、ホルダ２２、コンタクト部材２９及び上部フレーム２３を介して図示されない装置本体のフレームに形成されたアース端子に導通させられ、接地される。
【００４７】
前記ケーブルクランプ２６、ホルダ２２及び上部フレーム２３は金属等の導電性部材によって形成してもよいし、モールド成型した部材に導電性塗料を塗布して形成してもよい。
【００４８】
このように、本実施の形態においては、信号ケーブル２５において発生した電気的ノイズをアース端子を介して逃がすことができるので、データの送信を安定させることができる。したがって、画像品位を向上させることができる。
【００４９】
なお、本発明は前記実施の形態に限定されるものではなく、本発明の趣旨に基づいて種々変形させることが可能であり、それらを本発明の範囲から排除するものではない。
【図面の簡単な説明】
【００５０】
【図１】本発明の第１の実施の形態におけるプリンタを示す図である。
【図２】本発明の第１の実施の形態における信号ケーブルの詳細図である。
【図３】本発明の第１の実施の形態におけるＬＥＤユニットの動作を示す第１の図である。
【図４】本発明の第１の実施の形態におけるＬＥＤユニットの動作を示す第２の図である。
【図５】本発明の第１の実施の形態におけるケーブルクランプの動作を示す図である。
【図６】本発明の第１の実施の形態におけるケーブルクランプの平面図である。
【図７】図６のＡ−Ａ断面図である。
【図８】本発明の第２の実施の形態におけるプリンタの要部を示す分解斜視図である。
【図９】本発明の第２の実施の形態におけるＬＥＤユニットの動作を示す第１の図である。
【図１０】本発明の第２の実施の形態におけるＬＥＤユニットの動作を示す第２の図である。
【図１１】本発明の第３の実施の形態におけるプリンタの要部を示す図である。
【図１２】本発明の第３の実施の形態における信号ケーブルの詳細図である。
【符号の説明】
【００５１】
２１    ＬＥＤユニット
２２    ホルダ
２５    信号ケーブル
２６    ケーブルクランプ
２６ａ〜２６ｃ    第１〜第３の端部
２６ｇ    支持軸部
【図１】
2006116764.tif 000003
【図２】
2006116764.tif 000004
【図３】
2006116764.tif 000005
【図４】
2006116764.tif 000006
【図５】
2006116764.tif 000007
【図６】
2006116764.tif 000008
【図７】
2006116764.tif 000009
【図８】
2006116764.tif 000010
【図９】
2006116764.tif 000011
【図１０】
2006116764.tif 000012
【図１１】
2006116764.tif 000013
【図１２】
2006116764.tif 000014